(57)【要約】【課題】装置に搭載された機能の説明を素早く確認することができる表示装置、表示操作装置、処理装置、撮影装置、および表示方法を提供することを目的とする。【解決手段】  表示画面と、表示画面の、帯状に延びた第１領域上に、複数の機能それぞれを表現する複数のマーク画像を所定の順序で並べて表示するとともに、選択された機能を表現するマーク画像が所定の領域部分に表示されるように、複数のマーク画像を順序を維持したまま第１領域内で移動させるマーク画像表示部と、表示画面の、第１領域と領域部分で交わって帯状に延びた第２領域上に、領域部分に表示されたマーク画像が表現する機能の説明を表示する説明表示部とを備えた。【選択図】        図６
2007074402.tif 000002
【特許請求の範囲】
【請求項１】
表示画面と、
前記表示画面の、帯状に延びた第１領域上に、相互に異なる複数の機能それぞれを表現する複数のマーク画像を、所定の順序で並べて表示するとともに、該複数の機能のうちの１つの機能の選択を受けて、選択された機能を表現するマーク画像が所定の領域部分に表示されるように、前記複数のマーク画像を、前記順序を維持したまま該第１領域内で移動させるマーク画像表示部と、
前記表示画面の、前記第１領域と前記領域部分で交わって帯状に延びた第２領域上に、該領域部分に表示されたマーク画像が表現する機能の説明を表示する説明表示部とを備えたことを特徴とする表示装置。
【請求項２】
前記領域部分に表示されたマーク画像を拡大した拡大画像を、該マーク画像の近傍に表示する拡大表示部を備えたことを特徴とする請求項１記載の表示装置。
【請求項３】
前記拡大表示部は、前記拡大画像を、前記領域部分の斜め上、あるいは斜め下に表示するものであることを特徴とする請求項２記載の表示装置。
【請求項４】
前記複数の機能のうち選択された機能に関する表示が、その選択された機能を除く機能に関する表示に対して強調表示されることを特徴とする請求項１あるいは２記載の表示装置。
【請求項５】
この表示装置は、相互に異なる機能を有する複数のユニットから選択されたユニットが交換自在に装着されるものであり、
前記マーク画像表示部は、この表示装置に装着されたユニットが有する機能を表現するマーク画像を表示するものであることを特徴とする請求項１記載の表示装置。
【請求項６】
表示画面と、
相互に異なる複数の機能のうちの１つの機能を指定するための操作子と、
前記表示画面の、帯状に延びた第１領域上に、前記複数の機能それぞれを表現する複数のマーク画像を所定の順序で並べて表示するマーク画像表示部と、
前記表示画面の、前記第１領域と交わって帯状に延びた第２領域上に、前記操作子で指定された機能の説明を表示する説明表示部とを備えたことを特徴とする表示操作装置。
【請求項７】
前記マーク画像表示部は、前記操作子を使って指定された機能を表現するマーク画像が所定の領域部分に表示されるように、前記複数のマーク画像を前記第１領域内で移動させるものであることを特徴とする請求項６記載の表示操作装置。
【請求項８】
前記操作子は、前記複数の機能のうち指定されている機能を前記順序で１つずつ切り替える操作を受けるものであり、
前記マーク画像表示部は、前記操作子を使って指定された機能を表現するマーク画像が前記所定の領域部分に表示されるように、前記複数のマーク画像を、前記順序を維持したまま前記第１領域内で移動させるものであることを特徴とする請求項７記載の表示操作装置。
【請求項９】
前記操作子は、前記複数の機能のうち指定されている機能を前記順序で循環的に切り替える回転操作を受けるダイヤルであり、
前記マーク画像表示部は、前記操作子を使って指定された機能を表現するマーク画像が前記所定の領域部分に表示されるように、前記複数のマーク画像を、前記順序を維持したまま前記第１領域内で循環的に移動させるものであることを特徴とする請求項７記載の表示操作装置
【請求項１０】
前記説明表示部は、前記操作子で所定の速さ以上の速さで機能が切り替えられたか否かに応じて、それぞれ、前記領域部分に表示されたマーク画像が表現する機能の簡略な説明を表示し、あるいは、該機能の詳細な説明を表示するものであることを特徴とする請求項６記載の表示操作装置。
【請求項１１】
表示画面と、
相互に異なる複数の機能のうちの１つの機能を指定するための操作子と、
前記表示画面の、帯状に延びた第１領域上に、前記複数の機能それぞれを表現する複数のマーク画像を所定の順序で並べて表示するマーク画像表示部と、
前記表示画面の、前記第１領域と交わって帯状に延びた第２領域上に、前記操作子で指定された機能の説明を表示する説明表示部と、
前記操作子を使って指定された機能に応じた処理を実行する処理実行部とを備えたことを特徴とする処理装置。
【請求項１２】
表示画面と、
相互に異なる複数の機能のうちの１つの機能を指定するための操作子と、
前記表示画面の、帯状に延びた第１領域上に、前記複数の機能それぞれを表現する複数のマーク画像を所定の順序で並べて表示するマーク画像表示部と、
前記表示画面の、前記第１領域と交わって帯状に延びた第２領域上に、前記操作子で指定された機能の説明を表示する説明表示部と、
前記操作子を使って指定された機能に応じて被写体像を撮像する撮像部とを備えたことを特徴とする撮影装置。
【請求項１３】
相互に異なる複数の機能のうちの１つの機能の選択を受ける選択受信過程と、
表示画面の、帯状に延びた第１領域上に、相互に異なる複数の機能それぞれを表現する複数のマーク画像を、所定の順序で並べて表示するとともに、該複数の機能のうちの１つの機能の選択を受けて、選択された機能を表現するマーク画像が所定の領域部分に表示されるように、前記複数のマーク画像を、前記順序を維持したまま該第１領域内で移動させるマーク画像表示過程と、
前記表示画面の、前記第１領域と前記領域部分で交わって帯状に延びた第２領域上に、該領域部分に表示されたマーク画像が表現する機能の説明を表示する説明表示過程とを有することを特徴とする表示方法。
【発明の詳細な説明】
【技術分野】
【０００１】
本発明は、機能の説明を表示する表示装置、操作子を使って指定された機能の説明を説明する表示操作装置、処理を実行する処理装置、被写体を撮影する撮影装置、および機能の説明を表示する表示方法に関する。
【背景技術】
【０００２】
近年、デジタルカメラの小型化が急速に進んできたことに加えて、日ごろから常に携帯している携帯電話などといった小型機器に撮影機能が搭載されてきており、撮影装置を手軽に持ち運ぶことができるようになってきている。デジタルカメラや小型機器に搭載された撮影装置では、デジタルの撮影画像が取得されるため、撮影画像をその場ですぐに液晶モニタなどに表示して確認したり、不要な撮影画像をプリント出力する前に削除することができる。さらに、複数枚の撮影画像をまとめて記録メディア等に記録しておくことによって、保管の際にかさ張らず、撮影画像を高画質なままで保管することができる。
【０００３】
このように、撮影装置が身近なものになってきたことや、必要な撮影画像のみをコンパクトに保管することができるなどということから、被写体を撮影することが日常的なことになってきている。このような状況の中で、シャッタスピードや露光時間などといった撮影条件について詳しく知らない初心者でも、プロのカメラマンが撮影した画像に迫る美しい画像を手軽に取得したいという要望や、画質よりも撮影枚数を重視し、なるべく多くの画像を記録したいという要望など、様々な要望が高まってきている。ユーザの要望に応えるため、各メーカは、各撮影シーンそれぞれに適した撮影条件を自動的に設定する機能や、ユーザによって指示された画素数で撮影画像を記録する機能などを撮影装置に搭載し、それらの機能を指定するための様々な操作子を撮影装置に装備して対処している。
【０００４】
操作子を使って指定可能な機能としては、例えば、美しい肌色を表現する人物モード、動いている被写体を撮影するスポーツモード、撮影画角全体をくっきりと撮影する風景モード、および夜景を撮影する夜景モードなどといった各種撮影モードを設定する機能や、ストロボの有無、ピクセルサイズ、ＩＳＯ感度、およびホワイトバランスの有無等を設定する機能が挙げられる。ユーザは、撮影装置に装備されたダイヤルやボタンを使ってこれらの機能を指定することによって、所望の撮影を手軽に行うことができる。
【０００５】
しかし、撮影装置の多機能化にはますます拍車がかかっており、ユーザにとっては、それらの機能を全て覚えることは困難である。このため、撮影前に撮影装置の説明書で所望の機能を探す必要があるが、説明書を持ち歩くことは少ないため、せっかく搭載されている機能を利用しないで撮影してしまう場合がある。この点に関し、特許文献１、および特許文献２には、各機能の説明を表示画面上に順次に表示する技術について記載されている。これら特許文献１、および特許文献２に記載された技術によると、ユーザが撮影装置に装備されたダイヤルなどを回すと、各機能の説明が表示画面上に１つずつ順次に表示されるため、説明書を持ち運ぶ手間を省いて、所望の機能を適確に指定することができる。また、特許文献３には、各メッセージそれぞれに付された題目を一覧表示し、ユーザが一覧の中から所望の題目を選択すると、一覧表示に代えて、選択された題目に対応するメッセージを表示する技術について記載されている。特許文献１、および特許文献２に記載された技術では、明らかに所望の機能とは異なる機能の説明も順次に表示されるため、所望の機能の説明を表示させるまでに時間がかかってしまうことがあるが、特許文献３に記載された技術を機能の説明に適用することによって、ユーザは、一覧に示された機能のうち所望の機能であると思われる機能を選択し、選択した機能の説明を表示させることができ、所望の機能を探し出す時間を短縮することができる。
【特許文献１】特開平５−２１６１０６号公報
【特許文献２】特開２０００−２５０１１９号公報
【特許文献３】特開２００１−１１２６４２号公報
【発明の開示】
【発明が解決しようとする課題】
【０００６】
しかし、特許文献３に記載された技術によると、表示させた機能の説明が所望の機能のものではなかったときには、再び一覧を表示させ、さらにその一覧の中から１つの機能を選びなおして機能説明の表示に切り替える作業を繰り返す必要があり、かなりの時間がかかってしまう。このため、撮影前に、撮影シーンに適した機能を選択しようとすると、所望の機能を探している間にせっかくのシャッタチャンスを逃してしまう恐れがある。
【０００７】
また、このような問題は、撮影装置のみに限られた問題ではなく、機能の説明を表示する表示装置を用いる分野一般で生じる問題である。
【０００８】
本発明は、上記事情に鑑み、装置に搭載された機能の説明を素早く確認することができる表示装置、表示操作装置、処理装置、撮影装置、および表示方法を提供することを目的とする。
【課題を解決するための手段】
【０００９】
上記目的を達成する本発明の表示装置は、表示画面と、
表示画面の、帯状に延びた第１領域上に、相互に異なる複数の機能それぞれを表現する複数のマーク画像を、所定の順序で並べて表示するとともに、複数の機能のうちの１つの機能の選択を受けて、選択された機能を表現するマーク画像が所定の領域部分に表示されるように、複数のマーク画像を、順序を維持したまま第１領域内で移動させるマーク画像表示部と、
表示画面の、第１領域と領域部分で交わって帯状に延びた第２領域上に、領域部分に表示されたマーク画像が表現する機能の説明を表示する説明表示部とを備えたことを特徴とする。
【００１０】
本発明の表示装置によると、複数のマーク画像が第１領域に所定の順番で並べて表示されるとともに、選択された機能のマーク画像が所定の領域部分に表示されるように、それら複数のマーク画像が順番を維持したまま移動され、領域部分に表示されたマーク画像が表現する機能の説明が第２領域に表示される。ユーザは、第１領域に並べられた複数のマーク画像によって、どのような機能が用意されているのかを一目で確認することができるうえ、第２領域の表示によって、選択した機能の説明を素早く確認することができる。
【００１１】
また、本発明の表示装置は、領域部分に表示されたマーク画像を拡大した拡大画像を、マーク画像の近傍に表示する拡大表示部を備えたことが好ましい。
【００１２】
マーク画像の拡大画像が表示されることによって、ユーザはどの機能の説明が表示されているのかを確実に認識することができる。
【００１３】
また、本発明の表示装置において、上記拡大表示部は、拡大画像を、領域部分の斜め上、あるいは斜め下に表示するものであることが好ましい。
【００１４】
拡大画像が、マーク画像が表示された領域部分の斜め上や斜め下に表示されると、拡大画像と、機能の説明の表示との対応がわかりやすい。
【００１５】
また、本発明の表示装置において、上記複数の機能のうち選択された機能に関する表示が、その選択された機能を除く機能に関する表示に対して強調表示されることが好ましい。
【００１６】
選択された機能に関する表示が、選択された機能を除く機能に関する表示に対して強調表示されると、どの機能が選択されているのかを認識しやすい。
【００１７】
また、本発明の表示装置において、「この表示装置は、相互に異なる機能を有する複数のユニットから選択されたユニットが交換自在に装着されるものであり、
マーク画像表示部は、この表示装置に装着されたユニットが有する機能を表現するマーク画像を表示するものである」という形態は好適である。
【００１８】
表示装置に装着されたユニットが有する機能を表現するマーク画像が表示されることによって、ユーザはユニットが有する機能を認識することができ、その機能を十分に活かすことができる。
【００１９】
また、上記目的を達成する本発明の表示操作装置は、表示画面と、
相互に異なる複数の機能のうちの１つの機能を指定するための操作子と、
表示画面の、帯状に延びた第１領域上に、複数の機能それぞれを表現する複数のマーク画像を所定の順序で並べて表示するマーク画像表示部と、
表示画面の、第１領域と交わって帯状に延びた第２領域上に、操作子で指定された機能の説明を表示する説明表示部とを備えたことを特徴とする。
【００２０】
本発明の表示操作装置によると、操作子を操作することによって指定される機能の説明を素早く確認することができる。
【００２１】
また、本発明の表示操作装置において、上記マーク画像表示部は、操作子を使って指定された機能を表現するマーク画像が所定の領域部分に表示されるように、複数のマーク画像を第１領域内で移動させるものであることが好ましい。
【００２２】
複数のマーク画像が第１領域内で移動されることによって、各機能の説明を効率よく切り替えることができる。
【００２３】
また、本発明の表示操作装置において、「上記操作子は、上記複数の機能のうち指定されている機能を上記順序で１つずつ切り替える操作を受けるものであり、
マーク画像表示部は、操作子を使って指定された機能を表現するマーク画像が所定の領域部分に表示されるように、複数のマーク画像を、順序を維持したまま第１領域内で移動させるものである」という形態は好ましい。
【００２４】
操作子の操作によって、複数の機能がマーク画像が並べられた順番で１つずつ切り替えられることによって、ユーザは、操作子を見なくても、表示画面を見たままで容易に機能を切り替えることができる。
【００２５】
また、本発明の表示操作装置において、「上記操作子は、複数の機能のうち指定されている機能を上記順序で循環的に切り替える回転操作を受けるダイヤルであり、
マーク画像表示部は、操作子を使って指定された機能を表現するマーク画像が所定の領域部分に表示されるように、複数のマーク画像を、順序を維持したまま第１領域内で循環的に移動させるものである」という形態も好ましい。
【００２６】
操作子としてダイヤルが適用されることによって、ダイヤルの設定状態によって選択されている機能を確認することができるうえ、素早く機能を切り替えることができる。
【００２７】
また、本発明の表示操作装置において、上記説明表示部は、操作子で所定の速さ以上の速さで機能が切り替えられたか否かに応じて、それぞれ、領域部分に表示されたマーク画像が表現する機能の簡略な説明を表示し、あるいは、機能の詳細な説明を表示するものであることが好適である。
【００２８】
本発明の好適な形態の表示操作装置によると、高速に機能が切り替えられているときには、読みやすい簡略な説明が表示され、低速に機能が切り替えられているときには、細かくても詳しい説明が表示されるので、説明の視認性と詳細さとの両立が実現する。
【００２９】
尚、本発明にいう表示操作装置については、ここに示したいくつかの形態のみではなく、前述した表示装置の各形態に対応する各種の形態も含まれる。
【００３０】
また、上記目的を達成する本発明の処理装置は、表示画面と、
相互に異なる複数の機能のうちの１つの機能を指定するための操作子と、
表示画面の、帯状に延びた第１領域上に、複数の機能それぞれを表現する複数のマーク画像を所定の順序で並べて表示するマーク画像表示部と、
表示画面の、第１領域と交わって帯状に延びた第２領域上に、操作子で指定された機能の説明を表示する説明表示部と、
操作子を使って指定された機能に応じた処理を実行する処理実行部とを備えたことを特徴とする。
【００３１】
本発明の処理装置によると、搭載された機能の説明を素早く確認することができる。
【００３２】
尚、本発明にいう処理装置については、ここではその基本形態のみを示すのにとどめるが、本発明にいう処理装置には、上記の基本形態のみではなく、前述した表示装置および表示操作装置の各形態に対応する各種の形態が含まれる。
【００３３】
また、上記目的を達成する本発明の撮影装置は、表示画面と、
相互に異なる複数の機能のうちの１つの機能を指定するための操作子と、
表示画面の、帯状に延びた第１領域上に、複数の機能それぞれを表現する複数のマーク画像を所定の順序で並べて表示するマーク画像表示部と、
表示画面の、第１領域と交わって帯状に延びた第２領域上に、操作子で指定された機能の説明を表示する説明表示部と、
操作子を使って指定された機能に応じて被写体像を撮像する撮像部とを備えたことを特徴とする。
【００３４】
本発明の撮影装置によると、撮影装置に備えられた機能を素早く確認することができ、シャッタチャンスを逃さずに、撮影シーンなどに適した機能を利用して撮影することができる。
【００３５】
尚、本発明にいう撮影装置についても、ここではその基本形態のみを示すのにとどめるが、本発明にいう撮影装置には、上記の基本形態のみではなく、前述した表示装置および表示操作装置の各形態に対応する各種の形態が含まれる。
【００３６】
また、上記目的を達成する本発明の表示方法は、相互に異なる複数の機能のうちの１つの機能の選択を受ける選択受信過程と、
表示画面の、帯状に延びた第１領域上に、相互に異なる複数の機能それぞれを表現する複数のマーク画像を、所定の順序で並べて表示するとともに、複数の機能のうちの１つの機能の選択を受けて、選択された機能を表現するマーク画像が所定の領域部分に表示されるように、複数のマーク画像を、順序を維持したまま該第１領域内で移動させるマーク画像表示過程と、
表示画面の、１領域と前記領域部分で交わって帯状に延びた第２領域上に、領域部分に表示されたマーク画像が表現する機能の説明を表示する説明表示過程とを有することを特徴とする。
【００３７】
本発明の表示方法によると、機能の説明を素早く確認することができる。
【００３８】
尚、本発明にいう表示方法についても、ここではその基本形態のみを示すのにとどめるが、本発明にいう表示方法には、上記の基本形態のみではなく、前述した表示装置の各形態に対応する各種の形態が含まれる。
【発明の効果】
【００３９】
本発明によれば、装置に搭載された機能の説明を素早く確認することができる。
【発明を実施するための最良の形態】
【００４０】
以下、図面を参照して本発明の実施の形態を説明する。
【００４１】
図１は、本発明の一実施形態が適用されたデジタルカメラの外観図である。
【００４２】
図１のパート（Ａ）には、デジタルカメラ１００の前面図が示されている。デジタルカメラ１００の前面には、撮影画角を変更するズームレンズや被写体に焦点を合わせるフォーカスレンズなどで構成される撮影レンズ１０１、撮影者が被写体の位置などを定めるために覗くファインダ１０２、閃光を発する閃光発光装置１０３などが備えられている。
【００４３】
図１のパート（Ｂ）には、デジタルカメラ１００の上面図が示されている。デジタルカメラ１００の上面には、スライド式の電源スイッチ１０４、撮影時に押されるレリーズスイッチ１０５、および撮影モード（後述する）を設定するための撮影モードダイヤル１０６が備えられている。本実施形態のデジタルカメラ１００には、撮影モードとして、被写体の輝度などに応じて自動的にシャッタスピードや絞り値を設定する「オートモード」、見た目に美しい肌色を表現する「人物モード」、撮影画角全体をくっきりと撮影する「風景モード」、動きのある被写体を撮影するための「スポーツモード」、夕景や夜景を撮影するための「夜景モード」、動画撮影を行うための「動画モード」、シャッタスピードと絞り値とをユーザが手動で調整する「マニュアルモード」、背景をぼかす、あるいは遠くまでピントを合わせるための「絞り優先モード」、動きを表現した撮影を行うための「シャッタスピード優先モード」、および被写体の輝度などに応じたシャッタスピードや絞り値の組み合わせをユーザが予めプログラムする「プログラムオートモード」が用意されており、撮影モードダイヤル１０６を回転させることによって、これらの撮影モードを１つずつ順次に切り替えることができる。この撮影モードダイヤル１０６は、本発明にいう操作子の一例にあたるとともに、本発明にいうダイヤルの一例に相当する。
【００４４】
また、図１のパート（Ｃ）には、デジタルカメラ１００の背面図が示されている。デジタルカメラ１００の背面には、図１のパート（Ａ）にも示すファインダ１０２、撮影画像やメニュー画像などが表示されるＬＣＤ（Ｌｉｑｕｉｄ  Ｃｒｙｓｔａｌ  Ｄｉｓｐｌａｙ：液晶ディスプレイ）１３０、ＬＣＤ１３０における画像の表示／非表示を切り替える表示スイッチ１０７、ＬＣＤ１３０に表示されたメニュー画像中の項目等を選択するための十字キー１０８、および指定された内容を確定したり、ＬＣＤ１３０上にメニュー画像を表示させるメニュー／ＯＫスイッチ１０９等が備えられている。十字キー１０８は、撮影モードダイヤル１０６と同様に、本発明にいう操作子の一例にあたり、ＬＣＤ１３０は、本発明にいう表示画面の一例に相当する。
【００４５】
図２は、図１に示すデジタルカメラ１００の概略構成図である。
【００４６】
図２に示すように、デジタルカメラ１００には、撮影光学系１１０と、信号処理部１２０とが備えられている。デジタルカメラ１００には、それらのほかにも、撮影した画像を表示させるためのＬＣＤ１３０、撮影した画像信号を記録しておくための記録メディア２００、撮影のための各種処理をデジタルカメラ１００に行なわせる、電源スイッチ１０４、レリーズスイッチ１０５、撮影モードダイヤル１０６、表示スイッチ１０７、十字キー１０８、およびメニュー／ＯＫスイッチ１０９等が設けられている。
【００４７】
まず、図２を参照して、撮影光学系１１０の構成を説明する。
【００４８】
デジタルカメラ１００に入射してきた被写体光は、ズームレンズやフォーカスレンズなどで構成される撮影レンズ１０１を経て、被写体光の光量を調整する絞り１１３を通過した後、シャッタ１１２が開いている場合は、後段に配置されたＣＣＤ１１１上に結像する。本来、撮影光学系には複数のレンズが配備され、それら複数のレンズのうち少なくとも１つのレンズがピント調節に大きく関与し、各レンズの相対位置が焦点距離に関与するが、本明細書では、焦点距離の変化に係わるレンズをズームレンズと称し、ピントの調節に係わるレンズをフォーカスレンズと称している。
【００４９】
撮影レンズ１０１、絞り１１３、およびシャッタ１１２は、レンズ駆動部１０１ａ、絞り駆動部１１３ａ、およびシャッタ駆動部１１２ａによりそれぞれ駆動され移動する。これらレンズ駆動部１０１ａ、絞り駆動部１１３ａ、およびシャッタ駆動部１１２ａを作動させる指示は、信号処理部１２０中のシステムコントローラ１２３からモータドライバ１２０ｃを通じて伝達される。
【００５０】
撮影レンズ１０１に含まれるズームレンズやフォーカスレンズは、レンズ駆動部１０１ａによって、光軸に沿う方向に移動される。ズームレンズが、システムコントローラ１２３からの信号に応じた位置に移動されることによって、焦点距離が変化して撮影倍率が決定される。また、フォーカスレンズは、ＴＴＬＡＦ（Ｔｈｒｏｕｇｈ  Ｔｈｅ  Ｌｅｎｓ  Ａｕｔｏ  Ｆｏｃｕｓ）機能を実現するためのレンズである。このＴＴＬＡＦ機能とは、光軸に沿う方向にフォーカスレンズを移動させながら、ＣＣＤ１１１で得られた画像信号のコントラストを信号処理部１２０のＡＦ／ＡＥ演算部１２４で検出し、そのコントラストのピークが得られるレンズ位置をピント位置として、フォーカスレンズをピント位置に調節するものである。このＴＴＬＡＦ機能によって、コントラストがピークになる被写体に自動的に焦点を合わせて撮影を行うことができる。
【００５１】
絞り１１３は、絞り径を変化させることによって、ＣＣＤ１１１で受光される被写体光の光量を調整するものである。
【００５２】
撮影レンズ１０１、絞り１１３、およびシャッタ１１２を通過してきた被写体光はＣＣＤ１１１上で結像され、ＣＣＤ１１１において、被写体像を表わす画像信号が生成される。ＣＣＤ１１１は、本発明にいう撮像部の一例に相当する。
【００５３】
撮像光学系１１０は、以上のように構成されている。
【００５４】
続いて信号処理部１２０の構成を説明する。
【００５５】
ＣＣＤ１１１上に結像させた被写体像が画像信号としてアナログ処理（Ａ／Ｄ）部１２０ａに読み出され、このアナログ処理（Ａ／Ｄ）部１２０ａでアナログ信号がデジタル信号に変換されデジタル信号処理部１２０ｂへと供給される。デジタル信号処理部１２０ｂにはシステムコントローラ１２３が配備されており、システムコントローラ１２３からの指示によって、図２に示す各種要素で実行される処理が制御される。画像信号処理部１２１、システムコントローラ１２３、ＡＦ／ＡＥ演算部１２４、画像表示制御部１２６、メディアコントローラ１２７、画像圧縮部１２８、キーコントローラ１２９、およびバッファメモリ１２２との間のデータの受け渡しはバス１２００を介して行なわれ、そのバス１２００を介してデータの受け渡しが行なわれるときのバッファとして内部メモリ１２５が働いている。この内部メモリ１２５に各部の処理プロセスの進行状況に応じて変数となるデータが随時書き込まれて、画像信号処理部１２１、システムコントローラ１２３、ＡＦ／ＡＥ演算部１２４、画像表示制御部１２６、メディアコントローラ１２７、画像圧縮部１２８、およびキーコントローラ１２９の各部では、そのデータを参照することにより適切な処理が行なわれる。つまり、システムコントローラ１２３からの指示がバス１２００を介して上記の各部に伝えられ、各部の処理プロセスが立ち上げられる。そして、その内部メモリ１２５のデータがプロセスの進行状況に応じて書き換えられ、さらにシステムコントローラ１２３側で参照されて上記の各部の動作が管理される。言い換えれば、電源が投入され、システムコントローラ１２３内のプログラムの手順にしたがって各部のプロセスが立ち上げられる。電源スイッチ１０４、レリーズスイッチ１０５、撮影モードダイヤル１０６、表示スイッチ１０７、十字キー１０８、およびメニュー／ＯＫスイッチ１０９が操作されると、その操作されたという情報がキーコントローラ１２９を経由してシステムコントローラ１２３に伝えられ、その操作に応じた処理がシステムコントローラ１２３内のプログラムの手順にしたがって行われる。
【００５６】
レリーズ操作が行われると、ＣＣＤ１１１で生成された画像信号は、アナログ処理（Ａ／Ｄ）部１２０ａでデジタル信号に変換され、このデジタル化された撮影画像がデジタル信号処理部１２０ｂ内のバッファメモリ１２２にいったん蓄えられる。このデジタル化された撮影画像のＲＧＢ信号が画像信号処理部１２１でＹＣ信号に変換され、さらに画像圧縮部１２８でＪＰＥＧ圧縮と呼ばれる圧縮が行なわれて画像信号が画像ファイルとなってメディアコントローラ１２７を介して記録メディア２００に記録される。この画像ファイルとして記録された撮影画像は、画像表示制御部１２６を通じてＬＣＤ１３０において再生される。この処理の際、ＡＦ／ＡＥ演算部１２４では、ピント調節のためにＲＧＢ信号から被写体距離ごとにコントラストを検出することが行なわれる。この検出結果に基づいて、撮影レンズ１０１内のフォーカスレンズによってピント調整が行われる。またＡＦ／ＡＥ演算部１２４ではＲＧＢ信号から輝度信号が抽出され、そこから被写界輝度が検出される。
【００５７】
デジタルカメラ１００は、以上のように構成されている。
【００５８】
ここで、デジタルカメラ１００には、上述したように、「オートモード」、「人物モード」、「風景モード」、「スポーツモード」、「夜景モード」、「動画モード」、「マニュアルモード」、「絞り優先モード」、「シャッタスピード優先モード」、および「プログラムオートモード」といった多くの撮影モードが用意されており、これら撮影モードそれぞれの特徴を全て覚えて利用することは一般的なユーザには難しい。本実施形態のデジタルカメラ１００では、これらの撮影モードの説明が、各撮影モードを表現するマーク画像とともに表示される。以下では、マーク画像と撮影モードの説明の表示について説明する。
【００５９】
まず、図２に示す画像表示制御部１２６の機能について詳しく説明する。
【００６０】
図３は、画像表示制御部１２６の機能ブロック図である。
【００６１】
図３に示すように、画像表示制御部１２６には、画像表示部１２６１と、メニュー表示部１２６２と、マーク表示部１２６３と、説明表示部１２６４とが備えられている。
【００６２】
また、図２にも示す内部メモリ１２５には、各種メニュー画像、上述した複数の撮影モードそれぞれを表現する複数のマーク画像、複数の撮影モードそれぞれに関する複数の詳細な説明、および複数の撮影モードそれぞれに関する複数の簡略な説明が記憶されている。
【００６３】
画像表示部１２６１は、システムコントローラ１２３から画像を表示する指示が与えられると、図２に示すバッファメモリ１２２に一時的に保存された画像を読み出し、ＬＣＤ１３０上に画像を表示する。
【００６４】
メニュー表示部１２６２は、システムコントローラ１２３からメニュー画像を表示する指示が与えられると、内部メモリ１２５に記憶されたメニュー画像を読み出し、ＬＣＤ１３０上にメニュー画像を表示する。
【００６５】
ユーザによって図１に示す撮影モードダイヤル１０６が回転されて、撮影モードが指定されると、システムコントローラ１２３からマーク表示部１２６３と説明表示部１２６４に、指定された撮影モードが伝えられる。マーク表示部１２６３は、内部メモリ１２５に記憶された複数のマーク画像を取得して、それらマーク画像をＬＣＤ１３０上に並べて表示するとともに、システムコントローラ１２３から伝えられた撮影モードのマーク画像をＬＣＤ１３０上に拡大表示する。このマーク表示部１２６３は、本発明にいうマーク画像表示部の一例にあたるとともに、本発明にいう拡大表示部の一例に相当する。
【００６６】
説明表示部１２６４は、システムコントローラ１２３から所定の間隔以上の間隔を空けて撮影モードが伝えられたときには、内部メモリ１２５からその撮影モードに対応する詳細な説明を取得してＬＣＤ１３０上に表示し、所定の間隔よりも短い間隔で撮影モードが伝えられたときには、内部メモリ１２５から撮影モードに対応する簡略な説明を取得してＬＣＤ１３０上に表示する。この説明表示部１２６４は、本発明にいう説明表示部の一例に相当する。
【００６７】
続いて、マーク画像と撮影モードの説明を表示する一連の手順について説明する。
【００６８】
ユーザが図１に示す電源スイッチ１０４を入れると、デジタルカメラ１００の内部では、電源スイッチ１０４が入ったことがシステムコントローラ１２３に伝えられ、システムコントローラ１２３からの指示に従って、スルー画像の生成が開始される。すなわち、ＣＣＤ１１１で生成された画像信号は、アナログ処理（Ａ／Ｄ）部１２０ａにおいて粗く読み出され、低解像度なスルー画像が生成される。生成されたスルー画像は、一旦バッファメモリ１２２に保存された後で、図３の画像表示部１２６１に読み出され、ＬＣＤ１３０上にスルー画像が表示される。
【００６９】
また、ユーザが図１に示すメニュー／ＯＫスイッチ１０９を押すと、システムコントローラ１２３から図３のメニュー表示部１２６２にメニュー画像の表示が指示され、ＬＣＤ１３０上にメニュー画像が表示される。
【００７０】
図４は、ＬＣＤ１３０に表示されたメニュー画像の一例を示す図である。
【００７１】
メニュー画像３２０は、撮影モードを指定する撮影モードバー３２１、撮影画像の画素数を指定する画素数バー３２２、ＩＳＯ感度を指定するＩＳＯ感度バー３２３、フィルム色を指定するフィルム色バー３２４、ホワイトバランスの有無を指定するＷＢバー３２５、ＡＦモードを指定するＡＦバー３２６で構成されており、各バーの右端には、現在の設定状態が示されている。また、ＬＣＤ１３０には、スルー画像３１０も表示されている。
【００７２】
メニュー画像３２０が表示された初期状態においては、図４に示すように、撮影モードを指定する撮影モードバー３２１が選択されており、ユーザが、図１に示すメニュー／ＯＫボタン１０９を押すと、システムコントローラ１２３から画像表示制御部１２６に、現在、撮影モードダイヤル１０６によって指定されている撮影モードが伝えられる。
【００７３】
図５は、図１に示す撮影モードダイヤル１０６の拡大図である。
【００７４】
図５に示すように、撮影モードダイヤル１０６は、各撮影モードを表現するマーク１０６ａが円周に沿って並べられており、ユーザが回すことによって基準マーク１０６ｂに対向する設定位置に移動されたマークが表現する撮影モードが指定される。図５の例では、「オートモード」を表現するマークが基準マーク１０６ｂに対向する設定位置に移動されており、「オートモード」が指定されている。システムコントローラ１２３は、図３に示すマーク表示部１２６３と説明表示部１２６４に「オートモード」が指定されていることを伝える。この撮影モードの指定を受ける処理は、本発明の表示方法における選択受信過程の一例に相当する。
【００７５】
マーク表示部１２６３は、撮影モードが伝えられると、内部メモリ１２５に記憶された全てのマーク画像を取得し、それらのマーク画像を撮影モードダイヤル１０６に記された順序で並べて表示する。さらに、伝えられた撮影モードのマーク画像を拡大表示する。このマーク画像を表示する処理は、本発明の表示方法におけるマーク画像表示過程の一例に相当する。
【００７６】
また、説明表示部１２６４は、内部メモリ１２５に記憶された撮影モードの説明のうち、システムコントローラ１２３から伝えられた撮影モードの説明を取得し、ＬＣＤ１３０上に表示する。この例では、電源が入れられてから初めて撮影モードが指定されたため、所定間隔以上の間隔を空けて撮影モードが指定されたと判定され、ＬＣＤ１３０上には詳細な説明１２５３が表示される。この撮影モードの説明を表示する過程は、本発明の表示方法における説明表示過程の一例に相当する。
【００７７】
図６は、ＬＣＤ１３０に表示されたマーク画像、および撮影モードの説明の一例を示す図である。
【００７８】
図６に示すように、ＬＣＤ１３０には、ＬＣＤ１３０の左端に縦方向に延びた帯状の第１領域３３１と、第１領域３３１の下端部分３１１で第１領域３３１と交わる、横方向に延びた帯状の第２領域３３２と、下端部分３１１の斜め上の第３領域３３３とが設けられている。第１領域３３１には、図５に示す撮影モードダイヤル１０６に記された複数のマーク１０６ａと同様な複数のマーク画像４１０が、撮影モードダイヤル１０６に記された順序で並べて表示されており、下端部分３１１には、撮影モードダイヤル１０６で指定された撮影モードを表現するマーク画像が赤く強調表示されている。さらに、第３領域３３３には、下端部分３１１に表示されたマーク画像が拡大表示されており、第２領域３３２には、下端部分３１１に表示されたマーク画像が表現する撮影モードの説明が表示されている。この例では、撮影モードダイヤル１０６で「オートモード」が指定されているため、下端部分３１１に「オートモード」を表現するマーク画像４１０＿１が表示され、第３領域３３３にマーク画像４１０＿１の拡大画像４１０＿１´が表示されている。また、第２領域３３２には、「オートモード」の詳細な説明４２１が表示されている。この第１領域３３１は、本発明にいう第１領域の一例にあたり、下端部分３１１は、本発明にいう所定の領域部分の一例にあたり、第２領域３３２は、本発明にいう第２領域の一例に相当する。
【００７９】
このように、複数のマーク画像４１０が第１領域３３１に並べて表示されることによって、ユーザはこのデジタルカメラ１００に搭載されている撮影モードの種類を容易に確認することができる。また、選択した撮影モードのマーク画像が赤く強調表示されたり、拡大表示されることによって、現在選択中の撮影モードを容易に認識することができ、その選択中の撮影モードの説明が、スルー画像３１０を邪魔しない第２領域３３２に表示されることによって、スルー画像３１０と同時に撮影モードの説明も確認することができる。
【００８０】
ここで、第２領域３３２に説明が表示されている撮影モード以外の撮影モードの説明を表示させるときには、ユーザは撮影モードダイヤル１０６を回す。
【００８１】
図７は、撮影モードダイヤル１０６と、撮影モードダイヤル１０６によって指定された撮影モードの説明が表示されたＬＣＤ１３０を示す図である。
【００８２】
図７のパート（Ａ）には、撮影モードダイヤル１０６が示されている。この図７のパート（Ａ）に示す例では、撮影モードダイヤル１０６が図５に示す状態から１目盛り分回転されており、「プログラムオートモード」のマーク１０６ａが基準マーク１０６ｂに対向する設定位置に移動されている。
【００８３】
図７のパート（Ｂ）には、「プログラムオートモード」の説明が表示されたＬＣＤ１３０が示されている。撮影モードダイヤル１０６が図７のパート（Ａ）に示すように回転されると、図３に示すマーク表示部１２６３および説明表示部１２６４には、システムコントローラ１２３から「プログラムオートモード」が指定されていることが伝えられる。マーク表示部１２６３は、図６に示すマーク画像４１０を順序を維持したまま第１領域３３１内で循環移動させて、「プログラムオートモード」を表現するマーク画像４１０＿２を下端部分３１１に赤く強調表示させ、さらに、第３領域３３３にマーク画像４１０＿２の拡大画像４１０＿２´を表示する。また、説明表示部１２６４は、第２領域３３２に「プログラムオートモード」の詳細説明４２２を表示する。
【００８４】
このように、撮影モードダイヤル１０６の回転と連動してマーク画像４１０が第１領域３３１内で移動され、第２領域３３２の説明が切り替わることによって、ユーザは、ＬＣＤ１３０から目を離さずに撮影モードを指定することができる。
【００８５】
さらに、ユーザが撮影モードダイヤルを高速に回転させ、所望の撮影モードを表現するマークを基準マーク１０６ｂに対向する設定位置に合わせた場合について説明する。この例では、ユーザが「マニュアルモード」のマーク１０６ａを基準マーク１０６ｂに対向する設定位置に合わせたものとして説明する。
【００８６】
図８は、「マニュアルモード」の説明が表示されたＬＣＤ１３０を示す図である。
【００８７】
撮影モードダイヤル１０６が、図７に示す「プログラムオートモード」から「マニュアルモード」まで高速に回転される間に、それら「プログラムオートモード」のマークと「マニュアルモード」のマークとの間に記された「シャッタスピード優先モード」のマークや「絞り優先モード」のマークが順次に設定位置に移動される。その結果、撮影モードが「プログラムオートモード」、「シャッタスピード優先モード」、「絞り優先モード」、および「マニュアルモード」の順で高速に切り替えられる。
【００８８】
マーク表示部１２６３は、撮影モードが切り替えられると、その切り替えられた撮影モードを表現するマーク画像が下端部分３１１に配置されるように、第１領域３３１内でマーク画像を循環移動させる。撮影モードが「マニュアルモード」に切り替えられた瞬間には、図８のパート（Ａ）に示すように、「マニュアルモード」のマーク画像４１０＿３が下端部分３１１に表示されている。
【００８９】
また、説明表示部１２６４は、撮影モードが切り替えられると、その切り替えられた撮影モードの説明を内部メモリ１２５から取得する。この例では、撮影モードが所定間隔よりも短い間隔で切り替えられているため、説明表示部１２６４は、内部メモリ１２５に記憶された説明（詳細な説明と簡略な説明）のうち簡略な説明を取得し、取得した簡略な説明を第２領域３３２に順次に表示させる。撮影モードが「マニュアルモード」に切り替えられた瞬間には、図８のパート（Ａ）に示すように、「マニュアルモード」の簡略な説明４２３＿１が下端部分３１１に表示されている。
【００９０】
また、「マニュアルモード」が設定されて、所定の時間が経過すると、説明表示部１２６４は、内部メモリ１２５から詳細な説明を取得し、図８のパート（Ｂ）に示すように、第２領域３３２に、簡略な説明４２３＿１に代えて詳細な説明４２３＿２を表示させる。
【００９１】
撮影モードが高速に切り替えられているときには、撮影モードの詳細な説明が表示されると、字が込み入って見にくい。デジタルカメラ１００によると、撮影モードが高速に切り替えられているときには、撮影モードの簡略な説明が表示されるとともに、撮影モードが設定されてしばらく経過すると、その撮影モードの詳細な説明が表示されるため、ユーザは、素早く撮影モードの特徴を確認できるとともに、撮影モードの詳しい特徴も確認することができる。
【００９２】
ユーザが撮影モードの説明を確認し、所望の撮影モードのマーク画像が下端部分３１１に移動されるように撮影モードダイヤル１０６を回転させて、図１に示すメニュー／ＯＫボタン１０９を押すと、選択された撮影モードが確定される。確定された撮影モードはシステムコントローラ１２３に伝えられ、ユーザがレリーズスイッチ１０５を押下すると、各撮影モードごとに用意されたプログラム線図に従って撮影が行われる。
【００９３】
このように、デジタルカメラ１００によると、ユーザは全ての撮影モードを記憶していなくても、素早く所望の撮影モードを探すことができ、搭載された撮影モードを有効に利用することができる。
【００９４】
以上で、本発明の第１実施形態の説明を終了し、本発明の第２実施形態について説明する。本発明の第２実施形態は、レンズやＣＣＤが搭載されたレンズユニットがカメラ本体に交換自在に装着される点が第１実施形態とは異なるが、ほぼ同様の構成を有しているため、図３を本実施形態の説明にも流用するとともに、同じ要素には同じ符号を付して説明を省略する。
【００９５】
図９は、本発明の第２実施形態が適用されたカメラシステムの分解図である。
【００９６】
図９に示すカメラシステム４００には、撮影レンズやＣＣＤが内蔵された複数種類のレンズユニット１＿ａ，２＿ａ，…，ｎ＿ａが用意されており、それら複数種類のレンズユニットのうちいずれかの種類のレンズユニットが選択されて使用される。以下の説明においては、複数種類のレンズユニット１＿ａ，２＿ａ，…，ｎ＿ａのうち１番目のレンズユニット１＿ａが選択されたものとして説明を行う。
【００９７】
カメラシステム４００は、レンズユニット１＿ａと、レンズユニット１＿ａが着脱自在に装着されるカメラ本体１＿ｂとで構成されている。レンズユニット１＿ａ，２＿ａ，…，ｎ＿ａは、本発明にいうユニットの一例にそれぞれ相当する。
【００９８】
カメラ本体１＿ｂの前面側にはマウント４００ｂが設けられており、このマウント４００ｂに、レンズユニットに設けられたマウントコネクタ４００ａが着脱自在に嵌合する。
【００９９】
図１０は、図９に示すカメラシステム４００の内部構成図である。
【０１００】
このカメラシステム４００は、図２に示す第１実施形態のデジタルカメラ１００とほぼ同様の構成を有している。
【０１０１】
レンズユニット１＿ａには、図２にも示す撮影レンズ１０１、レンズ駆動部１０１ａ、絞り１１３、絞り駆動部１１３ａ、シャッタ１１２、シャッタ駆動部１１２ａ、ＣＣＤ１１１、アナログ処理部１２０ａ、モータドライバ１２０ｃなどが備えられており、さらに、図２のデジタル信号処理部１２０ｂの一部であるＡＦ／ＡＥ部１２４、バッファメモリ１２２ａ、および内部メモリ１２５ａ、レンズユニット１＿ａを構成する各種要素を制御するヘッドコントローラ１２３ａ、およびカメラ本体１＿ｂに画像データなどを送信する通信部１３０ａも備えられている。
【０１０２】
レンズユニット１＿ａのマウントコネクタ１０ａは、カメラ本体１＿ｂのマウント１０ｂに着脱自在に嵌合する。これらレンズユニット１＿ａとカメラ本体１＿ｂとの間では、マウントコネクタ１０ａとマウント１０ｂに設けられた電気的接点を介して通信が行われる。
【０１０３】
また、カメラ本体１＿ｂには、図２にも示す画像処理部１２１、バッファメモリ１２２ｂ、内部メモリ１２５ｂ、表示制御部１２６、ＬＣＤ１３０、画像圧縮部１２８、キーコントローラ１２９、メディアコントローラ１２７、電源スイッチ１０４、レリーズスイッチ１０５、表示スイッチ１０７、十字キー１０８、およびメニュー／ＯＫスイッチ１０９が備えられており、さらに、カメラ本体１＿ｂを構成する各種要素を制御する本体コントローラ１２３ｂ、およびレンズユニット１＿ａから画像データなどを受信する通信部１３０ｂも備えられている。また、本実施形態のカメラシステム４００においては、カメラ本体１＿ｂに、図１に示す撮影モードダイヤル１０６が備えられておらず、十字キー１０８が操作されることによって撮影モードが指定される。
【０１０４】
レンズユニット１＿ａの内部メモリ１２５ａには、ＣＣＤ１１１の画素数やＩＳＯ感度などで構成されたレンズパラメータが予め記憶されており、カメラ本体１＿ｂにレンズユニット１＿ａが装着されると、レンズユニット１＿ａのヘッドコントローラ１２３ａによってレンズパラメータが読み出され、レンズパラメータが通信部１３０ａからカメラ本体１＿ｂに送信される。本実施形態では、１番目のレンズユニット１＿ａに備えられたＣＣＤ１１１の最大ＩＳＯ感度は「ＩＳＯ２００」であるものとして説明する。
【０１０５】
カメラ本体１＿ｂでは、通信部１３０ｂにおいてレンズパラメータが受信され、受信されたレンズパラメータが本体コントローラ１２３ｂに伝えられる。
【０１０６】
カメラ本体１＿ｂの内部メモリ１２５ｂには、上述した「オートモード」、「人物モード」、「風景モード」、「スポーツモード」、「夜景モード」、「動画モード」、「マニュアルモード」、「絞り優先モード」、「シャッタスピード優先モード」、および「プログラムオートモード」それぞれを実現するためのプログラム線図に加えて、閃光を発光させずに高感度で撮影を行う「ナチュラルフォトモード」を実現するためのプログラム線図も用意されている。本体コントローラ１２３ｂは、レンズユニット１＿ａからレンズパラメータが伝えられると、レンズパラメータに含まれるＣＣＤ１１１の画素数や感度などに基づいて、そのレンズユニット１＿ａを用いて実現可能な撮影モードを判定し、実現可能であると判定した撮影モードを図３に示すマーク表示部１２６３に伝える。ここでは、１番目のレンズユニット１＿ａに備えられたＣＣＤ１１の最大ＩＳＯ感度「ＩＳＯ２００」では、「ナチュラルフォトモード」を除く撮影モードが実現可能であると判定されたものとして説明する。また、本体コントローラ１２３ｂは、実現可能であると判定した撮影モードのうち１つの撮影モードを注目撮影モードとして選択して、図３に示すマーク表示部１２６３および説明表示部１２６４に伝える。本実施形態においては、高感度なＣＣＤが備えられたレンズユニットが装着された場合のみ実現可能な「ナチュラルフォトモード」が実現可能であると判定された場合には、注目撮影モードとして「ナチュラルフォトモード」が選択され、「ナチュラルフォトモード」が実現不可能であると判定された場合には、全てのレンズユニットにおいて実現可能な「オートモード」が注目撮影モードとして選択される。この例では、「ナチュラルフォトモード」は実現不可能であるため、マーク表示部１２６３および説明表示部１２６４に注目撮影モードとして「オートモード」が伝えられる。
【０１０７】
マーク表示部１２６３は、内部メモリ１２５ｂから、本体コントローラ１２３ｂから伝えられた撮影モード（「ナチュラルフォトモード」を除く撮影モード）を表現するマーク画像を取得し、それらのマーク画像を、注目撮影モードのマーク画像が図６の下端部分３１１に表示されるように第１領域３３１に並べて表示する。
【０１０８】
また、説明表示部１２６４は、内部メモリ１２５ｂから注目撮影モードの説明を取得し、その説明を図６の第２領域３３２に表示する。
【０１０９】
図１１は、ＬＣＤ１３０に表示されたマーク画像、および撮影モードの説明の一例を示す図である。
【０１１０】
図１１に示すように、第１領域３３１には、「ナチュラルフォトモード」を除く複数の撮影モードそれぞれを表現する複数のマーク画像４１０が並べて表示されており、下端部分３１１には、注目撮影モードである「オートモード」のマーク画像４１０＿１が表示されている。また、第２領域３３２には、「オートモード」の説明４２１が表示されている。
【０１１１】
ユーザは十字キー１０８（図１参照）を使って、図１１に示されているマーク画像４１０が表現する撮影モード（すなわち、「ナチュラルモード」を除く撮影モード）を指定することができる。
【０１１２】
また、カメラ本体１＿ｂに、最大ＩＳＯ感度が「ＩＳＯ１６００」であるＣＣＤ１１１が備えられたレンズユニットｎ＿ａが装着された場合には、本体コントローラ１２３ｂに最大ＩＳＯ感度が「ＩＳＯ１６００」であることを示すレンズパラメータが伝えられる。本体コントローラ１２３ｂは、レンズパラメータに基づいて実現可能な撮影モードを判定し、実現可能であると判定した撮影モードを図３に示すマーク表示部１２６３に伝える。ここでは、最大ＩＳＯ感度「ＩＳＯ１６００」では、「ナチュラルフォトモード」を含めて全ての撮影モードが実現可能であると判定されたものとして説明する。本体コントローラ１２３ｂは、「ナチュラルフォトモード」を注目撮影モードとして選択して、図３に示すマーク表示部１２６３および説明表示部１２６４に伝える。
【０１１３】
図１２は、ＬＣＤ１３０に表示されたマーク画像、および撮影モードの説明の一例を示す図である。
【０１１４】
図１２に示すように、第１領域３３１には、「ナチュラルフォトモード」を含む全ての撮影モードそれぞれを表現する複数のマーク画像４１０が並べて表示されており、下端部分３１１には、注目撮影モードである「ナチュラルフォトモード」のマーク画像４１０＿４が表示されている。また、第２領域３３２には、「ナチュラルフォトモード」の説明４２４が表示されている。
【０１１５】
ユーザは十字キー１０８（図１参照）を使って、図１２に示されているマーク画像４１０が表現する撮影モード（すなわち、「ナチュラルモード」含めた全ての撮影モード）を指定することができる。
【０１１６】
このように、装着されたレンズユニットによって実現可能な撮影モードを表現するマーク画像と、その撮影モードの説明を選択可能に表示することによって、ユーザは、そのレンズユニットで実現可能な撮影モードを適確に確認することができ、それらの撮影モードを有効に利用することができる。
【０１１７】
ここで、上記では、本発明の撮影装置をデジタルカメラに適用する例について説明したが、本発明の撮影装置は、例えば、携帯電話などに適用してもよい。
【０１１８】
また、上記では、選択された機能を表現するマーク画像が下端部分に表示されるように複数のマーク画像が第１領域内で移動され、その選択された機能の説明が第２領域に表示される例について説明したが、本発明にいう説明表示部は、選択された機能を表現するマーク画像が表示された部分が第２領域と交わるように第２領域を移動させて、その選択されたマーク画像を第２領域に表示させるものであってもよい。
【０１１９】
また、上記では、選択された機能を表現するマーク画像の拡大画像を、そのマーク画像が表示された領域の斜め上に表示する例について説明したが、本発明にいう拡大表示部は、拡大画像を領域部分の斜め下などに表示するものであってもよい。
【図面の簡単な説明】
【０１２０】
【図１】本発明の一実施形態が適用されたデジタルカメラの外観図である。
【図２】図１に示すデジタルカメラ１００の概略構成図である。
【図３】画像表示制御部１２６の機能ブロック図である。
【図４】ＬＣＤ１３０に表示されたメニュー画像の一例を示す図である。
【図５】図１に示す撮影モードダイヤル１０６の拡大図である。
【図６】ＬＣＤ１３０に表示されたマーク画像、および撮影モードの説明の一例を示す図である。
【図７】撮影モードダイヤル１０６と、撮影モードダイヤル１０６によって指定された撮影モードの説明が表示されたＬＣＤ１３０を示す図である。
【図８】「マニュアルモード」の説明が表示されたＬＣＤ１３０を示す図である。
【図９】本発明の第２実施形態が適用されたカメラシステムの分解図である。
【図１０】図９に示すカメラシステム４００の内部構成図である。
【図１１】ＬＣＤ１３０に表示されたマーク画像、および撮影モードの説明の一例を示す図である。
【図１２】ＬＣＤ１３０に表示されたマーク画像、および撮影モードの説明の一例を示す図である。
【符号の説明】
【０１２１】
１００    デジタルカメラ
１０１    撮影レンズ
１０１ａ    レンズ駆動部
１０２    ファインダ対物窓
１０３    補助光発光部
１０４    電源スイッチ
１１０    撮影光学系
１１１    ＣＣＤ
１１２    シャッタ
１１２ａ    シャッタ駆動部
１１３    絞り
１１３ａ    絞り駆動部
１２０    信号処理部
１２０ａ    Ａ／Ｄ部
１２０ｂ    デジタル信号処理部
１２１    画像信号処理部
１２２    バッファメモリ
１２３    システムコントローラ
１２４    ＡＦ／ＡＥ演算部
１２５    内部メモリ
１２６    表示制御部
１２７    メディアコントローラ
１２８    画像圧縮部
１２９    キーコントローラ
１２００    バス
１４０    ＬＣＤ
【図１】
2007074402.tif 000003
【図２】
2007074402.tif 000004
【図３】
2007074402.tif 000005
【図４】
2007074402.tif 000006
【図５】
2007074402.tif 000007
【図６】
2007074402.tif 000008
【図７】
2007074402.tif 000009
【図８】
2007074402.tif 000010
【図９】
2007074402.tif 000011
【図１０】
2007074402.tif 000012
【図１１】
2007074402.tif 000013
【図１２】
2007074402.tif 000014